【手続補正書】
【提出日】平成29年6月20日(2017.6.20)
【手続補正１】
【補正対象書類名】特許請求の範囲
【補正対象項目名】全文
【補正方法】変更
【補正の内容】
【特許請求の範囲】
【請求項１】
画像データに基づいて連続紙上にページ画像を形成処理する画像形成部と、
印刷データを画像形成可能な画像データに変換する画像準備を行い、前記画像形成部を制御して、複数のページ画像を前記連続紙上に印刷実行させる制御部とを備え、
前記制御部は、画像形成処理前に、前記ページ画像に係わる通紙方向の画像サイズと、所定の第１の画像形成速度と、画像準備時間とに応じて、第２の画像形成速度を設定することを特徴とする画像形成装置。
【請求項２】
前記制御部は、前記連続紙上に印刷実行させるページ画像間の間隔を等間隔に制御することを特徴とする請求項１記載の画像形成装置。
【請求項３】
前記制御部は、前記通紙方向の画像サイズに基づいて決定される基準間隔と、前記所定の第１の画像形成速度及び前記画像準備時間に基づいて決定される準備可能間隔とを比較し、前記比較の結果に基づいて前記第２の画像形成速度を設定することを特徴とする請求項１または２に記載の画像形成装置。
【請求項４】
前記制御部は、前記準備可能間隔が前記基準間隔以下であると判断する場合、前記第２の画像形成速度として第１速度に設定し、前記準備可能間隔が前記基準間隔より大きいと判断する場合、前記第２の画像形成速度として前記第１速度よりも小さい第２速度を設定することを特徴とする請求項３に記載の画像形成装置。
【請求項５】
前記制御部は、印刷データの全てのページ画像に対して準備時間を算出し、その準備時間の最大値に基づいて前記画像準備時間を算出することを特徴とする請求項１〜４のいずれか１項に記載の画像形成装置。
【請求項６】
前記制御部は、印刷データの１ページ画像目から所定数までのページ画像に対して準備時間を算出し、その準備時間の最大値に基づいて前記画像準備時間を算出することを特徴とする請求項１〜４のいずれか１項に記載の画像形成装置。
【請求項７】
前記制御部は、印刷データにおいて画像準備に時間がかかると推測される特徴を持つ画像データの準備時間を算出し、その準備時間の最大値に基づいて前記画像準備時間を算出することを特徴とする請求項１〜４のいずれか１項に記載の画像形成装置。
【請求項８】
前記制御部は、印刷データが同一画像または同一画像の一部分を加工した画像の繰り返しで構成される場合、最初の１ページ画像の準備時間に基づいて前記画像準備時間を算出することを特徴とする請求項１〜４のいずれか１項に記載の画像形成装置。
【請求項９】
前記制御部は、印刷データが複数部で構成される場合、１部目の印刷データのページ画像に基づいて前記画像準備時間を算出することを特徴とする請求項１〜４のいずれか１項に記載の画像形成装置。
【請求項１０】
前記制御部は、印刷動作の実行指示を受け付けた後に、前記画像準備時間を算出することを特徴とする請求項１〜９のいずれか１項に記載の画像形成装置。
【請求項１１】
前記制御部は、前記第２の画像形成速度と印刷データとを関連付けて保存し、同一の印刷データを再印刷する場合には、保存された前記第２の画像形成速度を用いて画像形成処理することを特徴とする請求項１〜１０のいずれか１項に記載の画像形成装置。
【請求項１２】
前記制御部は、当該画像形成装置外の印刷データ作成装置から当該画像形成装置への印刷条件の通知要求があると、印刷データを受け付けた後に、前記第２の画像形成速度の設定を行い、設定された前記第２の画像形成速度を前記印刷データ作成装置に通知することを特徴とする請求項１〜１１のいずれか１項に記載の画像形成装置。
【請求項１３】
前記制御部は、設定された前記第２の画像形成速度をユーザーに通知することを特徴とする請求項１〜１２のいずれか１項に記載の画像形成装置。
【請求項１４】
前記制御部は、設定された前記第２の画像形成速度を印刷後にユーザーに通知することを特徴とする請求項１３記載の画像形成装置。
【請求項１５】
前記制御部は、印刷開始前に設定された前記第２の画像形成速度をユーザーに通知し、ユーザーによる前記第２の画像形成速度の選択または印刷中止を指示可能にすることを特徴とする請求項１３に記載の画像形成装置。
【請求項１６】
前記制御部は、前記画像形成部を制御して前記第２の画像形成速度の情報を連続紙の余白部分に印刷することを特徴とする請求項１〜１４のいずれか１項に記載の画像形成装置。
【請求項１７】
印刷データを画像形成可能な画像データに変換する画像準備を行う画像準備工程と、
画像データに基づく複数のページ画像の画像形成処理前に、前記ページ画像に係わる通紙方向の画像サイズと、所定の第１の画像形成速度と、画像準備時間とに応じて、第２の画像形成速度を設定する設定工程と、
画像データに基づいて、前記設定工程により設定された前記第２の画像形成速度で連続紙上に複数のページ画像を印刷する画像印刷工程と、を有することを特徴とする画像印刷方法。
【請求項１８】
前記画像印刷工程は、前記連続紙上に印刷するページ画像間の間隔を等間隔に設定して印刷することを特徴とする請求項１７記載の画像印刷方法。
【請求項１９】
前記設定工程は、前記通紙方向の画像サイズに基づいて決定される基準間隔と、前記所定の第１の画像形成速度及び前記画像準備時間に基づいて決定される準備可能間隔とを比較し、前記比較の結果に基づいて前記第２の画像形成速度を設定することを特徴とする請求項１７または１８に記載の画像印刷方法。
【請求項２０】
前記設定工程は、前記準備可能間隔が前記基準間隔以下である場合、前記第２の画像形成速度として第１速度に設定し、前記準備可能間隔が前記基準間隔より大きい場合、前記第２の画像形成速度として前記第１速度よりも小さい第２速度を設定することを特徴とする請求項１９に記載の画像印刷方法。
【請求項２１】
請求項１７〜請求項２０のいずれか１項に記載の画像印刷方法を実行するために、画像形成装置を制御する制御部で実行されることを特徴とする画像印刷制御プログラム。
【手続補正２】
【補正対象書類名】明細書
【補正対象項目名】０００８
【補正方法】変更
【補正の内容】
【０００８】
すなわち、本発明の画像形成装置のうち第１の本発明は、画像データに基づいて連続紙上にページ画像を形成処理する画像形成部と、
印刷データを画像形成可能な画像データに変換する画像準備を行い、前記画像形成部を制御して、複数のページ画像を前記連続紙上に印刷実行させる制御部とを備え、
前記制御部は、画像形成処理前に、前記ページ画像に係わる通紙方向の画像サイズと、所定の第１の画像形成速度と、画像準備時間とに応じて、第２の画像形成速度を設定することを特徴とする
【手続補正３】
【補正対象書類名】明細書
【補正対象項目名】０００９
【補正方法】変更
【補正の内容】
【０００９】
第２の本発明の画像形成装置は、前記第１の本発明において、前記制御部は、前記連続紙上に印刷実行させるページ画像間の間隔を等間隔に制御することを特徴とする。
第３の本発明の画像形成装置は、前記第１または第２の本発明において、前記制御部は、前記通紙方向の画像サイズに基づいて決定される基準間隔と、前記所定の第１の画像形成速度及び前記画像準備時間に基づいて決定される準備可能間隔とを比較し、前記比較の結果に基づいて前記第２の画像形成速度を設定することを特徴とする。
第４の本発明の画像形成装置は、前記第３の本発明において、前記制御部は、前記準備可能間隔が前記基準間隔以下であると判断する場合、前記第２の画像形成速度として第１速度に設定し、前記準備可能間隔が前記基準間隔より大きいと判断する場合、前記第２の画像形成速度として前記第１速度よりも小さい第２速度を設定することを特徴とする。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
第５の本発明の画像形成装置は、前記第１〜第４の本発明のいずれかにおいて、前記制御部は、印刷データの全てのページ画像に対して準備時間を算出し、その準備時間の最大値に基づいて前記画像準備時間を算出することを特徴とする。
【手続補正６】
【補正対象書類名】明細書
【補正対象項目名】００１２
【補正方法】変更
【補正の内容】
【００１２】
第６の本発明の画像形成装置は、前記第１〜第４の本発明のいずれかにおいて、前記制御部は、印刷データの１ページ画像目から所定数までのページ画像に対して準備時間を算出し、その準備時間の最大値に基づいて前記画像準備時間を算出することを特徴とする。
【手続補正７】
【補正対象書類名】明細書
【補正対象項目名】００１３
【補正方法】変更
【補正の内容】
【００１３】
第７の本発明の画像形成装置は、前記第１〜第４の本発明のいずれかにおいて、前記制御部は、印刷データにおいて画像準備に時間がかかると推測される特徴を持つ画像データの準備時間を算出し、その準備時間の最大値に基づいて前記画像準備時間を算出することを特徴とする。
【手続補正８】
【補正対象書類名】明細書
【補正対象項目名】００１４
【補正方法】変更
【補正の内容】
【００１４】
第８の本発明の画像形成装置は、前記第１〜第４の本発明のいずれかにおいて、前記制御部は、印刷データが同一画像または同一画像の一部分を加工した画像の繰り返しで構成される場合、最初の１ページ画像の準備時間に基づいて前記画像準備時間を算出することを特徴とする。
【手続補正９】
【補正対象書類名】明細書
【補正対象項目名】００１５
【補正方法】変更
【補正の内容】
【００１５】
第９の本発明の画像形成装置は、前記第１〜第４の本発明のいずれかにおいて、前記制御部は、印刷データが複数部で構成される場合、１部目の印刷データのページ画像に基づいて前記画像準備時間を算出することを特徴とする。
【手続補正１０】
【補正対象書類名】明細書
【補正対象項目名】００１６
【補正方法】変更
【補正の内容】
【００１６】
第１０の本発明の画像形成装置は、前記第１〜第９の本発明のいずれかにおいて、前記制御部は、印刷動作の実行指示を受け付けた後に、前記画像準備時間を算出することを特徴とする。
【手続補正１１】
【補正対象書類名】明細書
【補正対象項目名】００１７
【補正方法】変更
【補正の内容】
【００１７】
第１１の本発明の画像形成装置は、前記第１〜第１０の本発明のいずれかにおいて、前記制御部は、前記第２の画像形成速度と印刷データとを関連付けて保存し、同一の印刷データを再印刷する場合には、保存された前記第２の画像形成速度を用いて画像形成処理することを特徴とする。
【手続補正１２】
【補正対象書類名】明細書
【補正対象項目名】００１８
【補正方法】変更
【補正の内容】
【００１８】
第１２の本発明の画像形成装置は、前記第１〜第１１の本発明のいずれかにおいて、前記制御部は、当該画像形成装置外の印刷データ作成装置から当該画像形成装置への印刷条件の通知要求があると、印刷データを受け付けた後に、前記第２の画像形成速度の設定を行い、設定された前記第２の画像形成速度を前記印刷データ作成装置に通知することを特徴とする。
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】変更
【補正の内容】
【００２０】
第１３の本発明の画像形成装置は、前記第１〜第１２の本発明のいずれかにおいて、前記制御部は、設定された前記第２の画像形成速度をユーザーに通知することを特徴とする。
【手続補正１５】
【補正対象書類名】明細書
【補正対象項目名】００２１
【補正方法】変更
【補正の内容】
【００２１】
第１４の本発明の画像形成装置は、前記第１３の本発明において、前記制御部は、設定された前記第２の画像形成速度を印刷後にユーザーに通知することを特徴とする。
【手続補正１６】
【補正対象書類名】明細書
【補正対象項目名】００２２
【補正方法】変更
【補正の内容】
【００２２】
第１５の本発明の画像形成装置は、前記第１３の本発明において、前記制御部は、印刷開始前に設定された前記第２の画像形成速度をユーザーに通知し、ユーザーによる前記第２の画像形成速度の選択または印刷中止を指示可能にすることを特徴とする。
【手続補正１７】
【補正対象書類名】明細書
【補正対象項目名】００２３
【補正方法】変更
【補正の内容】
【００２３】
第１６の本発明の画像形成装置は、前記第１〜第１４の本発明のいずれかにおいて、前記制御部は、前記画像形成部を制御して前記第２の画像形成速度の情報を連続紙の余白部分に印刷することを特徴とする。
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】変更
【補正の内容】
【００２５】
第１７の本発明の画像印刷方法は、印刷データを画像形成可能な画像データに変換する画像準備を行う画像準備工程と、
画像データに基づく複数のページ画像の画像形成処理前に、前記ページ画像に係わる通紙方向の画像サイズと、所定の第１の画像形成速度と、画像準備時間とに応じて、第２の画像形成速度を設定する設定工程と、
画像データに基づいて、前記設定工程により設定された前記第２の画像形成速度で連続紙上に複数のページ画像を印刷する画像印刷工程と、を有することを特徴とする。。
【手続補正２０】
【補正対象書類名】明細書
【補正対象項目名】００２６
【補正方法】変更
【補正の内容】
【００２６】
第１８の本発明の画像印刷方法は、前記第１７の本発明において、前記画像印刷工程は、前記連続紙上に印刷するページ画像間の間隔を等間隔に設定して印刷することを特徴とする。
【手続補正２１】
【補正対象書類名】明細書
【補正対象項目名】００２７
【補正方法】変更
【補正の内容】
【００２７】
第１９の本発明の画像印刷方法は、前記第１７または第１８の本発明において、前記設定工程は、前記通紙方向の画像サイズに基づいて決定される基準間隔と、前記所定の第１の画像形成速度及び前記画像準備時間に基づいて決定される準備可能間隔とを比較し、前記比較の結果に基づいて前記第２の画像形成速度を設定することを特徴とする。
【手続補正２２】
【補正対象書類名】明細書
【補正対象項目名】００２８
【補正方法】変更
【補正の内容】
【００２８】
第２０の本発明の画像印刷方法は、前記第１９の本発明において、前記設定工程は、前記準備可能間隔が前記基準間隔以下である場合、前記第２の画像形成速度として第１速度に設定し、前記準備可能間隔が前記基準間隔より大きい場合、前記第２の画像形成速度として前記第１速度よりも小さい第２速度を設定することを特徴とする。
【手続補正２３】
【補正対象書類名】明細書
【補正対象項目名】００２９
【補正方法】削除
【補正の内容】
【手続補正２４】
【補正対象書類名】明細書
【補正対象項目名】００３０
【補正方法】削除
【補正の内容】
【手続補正２５】
【補正対象書類名】明細書
【補正対象項目名】００３１
【補正方法】変更
【補正の内容】
【００３１】
第２１の本発明の画像印刷制御プログラムは、第１７〜第２０の発明のいずれか一つに記載の画像印刷方法を実行するために、画像形成装置を制御する制御部で実行されることを特徴とする。
【手続補正２６】
【補正対象書類名】明細書
【補正対象項目名】００３２
【補正方法】削除
【補正の内容】
【手続補正２７】
【補正対象書類名】明細書
【補正対象項目名】００３３
【補正方法】削除
【補正の内容】